(57)【特許請求の範囲】
【請求項１】
断熱性を有する弾性体で構成されたパイプカバーで覆われた冷媒配管接続部が本体から外部へ突出され、前記本体の前記冷媒配管接続部が貫通する開口が、前記パイプカバーで覆われた前記冷媒配管接続部を除きパネルで覆われてなる空気調和機において、
前記パネルが、前記冷媒配管接続部の配設位置を境にして分割された２つのパネルで構成されているとともに、これら２つのパネルには前記パイプカバーで覆われた前記冷媒配管接続部を挟み込むためのＵ字溝がそれぞれ形成されており、かつ一方のパネルは着脱可能に構成され、その前記Ｕ字溝の縁部にはカーリングが形成されており、
前記Ｕ字溝の円弧の径は、前記パイプカバーの径よりも小さく設定されており、
前記着脱可能なパネルは、前記パイプカバー上を軸方向にスライドさせ、さらに該パイプカバーを径方向に圧縮して取り付けられており、そのカーリングが形成された前記Ｕ字溝の円弧の外側端部の片側を前記本体にねじ止めされていることを特徴とする空気調和機。
【請求項２】
前記冷媒配管接続部は、ガス冷媒配管と液冷媒配管とで構成され、これらは前記本体の前記開口の開口面の横幅方向に位置がずれ、かつ全体として外側寄りに偏位して配置されており、
前記カーリングは、前記外側寄りに位置するＵ字溝の縁部に形成されていることを特徴とする請求項１記載の空気調和機。
【発明の詳細な説明】
【技術分野】
【０００１】
本発明は、冷媒配管接続部が本体から外部へ突出され、本体の冷媒配管接続部が貫通する開口が冷媒配管接続部を除きパネルで覆われてなる空気調和機に関する。
【背景技術】
【０００２】
従来より、冷媒配管接続部が本体から外部へ突出され、本体の冷媒配管接続部が貫通する開口が冷媒配管接続部を除きパネルで覆われてなる空気調和機において、前記パネルを、前記冷媒配管接続部の配設位置を境にして分割された上下２つのパネルで構成するとともに、冷媒配管の下側に位置するパネルは垂直方向にスライドさせることで着脱可能である構成として、容易に取り付け、取り外しすることができるようにしたものがある（例えば、特許文献１参照）。
【０００３】
また、空気調和機本体の外殻を構成している板金製の箱型の本体ケースの側面を切り欠いて冷媒配管導出用の切欠部を形成し、この切欠部を覆うように配管押え板を取り付け、配管押え板に冷媒配管を押えるＵ字溝を形成し、このＵ字溝の各々の縁部に、例えばバーリング加工等によって折曲片を形成し、これらの折曲片が前記冷媒配管の外周面と面接触するようにしたものも提案されている（例えば、特許文献２参照）。
【先行技術文献】
【特許文献】
【０００４】
【特許文献１】特開平０１−１２３９２６号公報（第１図）
【特許文献２】特開２００６−０９７９９６号公報（図７〜図９）
【発明の概要】
【発明が解決しようとする課題】
【０００５】
しかしながら、本体の冷媒配管接続部が貫通する開口を覆うパネルを冷媒配管接続部の配設位置を境にして分割された上下２つのパネルで構成し、単に冷媒配管の下側に位置するパネルを垂直方向にスライドして着脱可能としたものにあっては、本体内部にある熱交換器の洗浄や修理といったサービスの作業性を向上させることを主な目的としているため、空気調和機内部で熱交換されて冷やされた冷気が分割されたパネル間の隙間から洩れるのを防止する対策が十分でなく、冷気洩れによる結露を防止できなかった。
【０００６】
また、本体ケースの側面に冷媒配管導出用の切欠部を形成し、この切欠部を覆うように配管押え板を取り付け、配管押え板に冷媒配管を押えるＵ字溝を形成し、このＵ字溝の各々の縁部に、バーリング加工等によって折曲片を形成したものにあっては、板金を９０°折り曲げて形成したものであるため、板金加工の際に生ずるバリにより、組立作業やサービス作業の際に作業者が手を切ってしまうなど、作業性、安全性に課題を残していた。
【０００７】
本発明は、前記のような課題を解決するためになされたもので、本体の冷媒配管接続部が貫通する開口を覆うパネルを分割構成とする場合において、冷気洩れによる結露を防止でき、かつ組立作業やサービス作業時の作業性、安全性を向上させることができるようにすることを目的としている。
【課題を解決するための手段】
【０００８】
本発明に係る空気調和機は、断熱性を有する弾性体で構成されたパイプカバーで覆われた冷媒配管接続部が本体から外部へ突出され、前記本体の前記冷媒配管接続部が貫通する開口が、前記パイプカバーで覆われた前記冷媒配管接続部を除きパネルで覆われてなる空気調和機において、前記パネルが、前記冷媒配管接続部の配設位置を境にして分割された２つのパネルで構成されているとともに、これら２つのパネルには前記パイプカバーで覆われた前記冷媒配管接続部を挟み込むためのＵ字溝がそれぞれ形成されており、かつ一方のパネルは着脱可能に構成され、その前記Ｕ字溝の縁部にはカーリングが形成されており、前記Ｕ字溝の円弧の径は、前記パイプカバーの径よりも小さく設定されており、前記着脱可能なパネルは、前記パイプカバー上を軸方向にスライドさせ、さらに該パイプカバーを径方向に圧縮して取り付けられており、そのカーリングが形成された前記Ｕ字溝の円弧の外側端部の片側を前記本体にねじ止めされているものである。
【発明の効果】
【０００９】
本発明に係る空気調和機においては、パネルが、冷媒配管接続部の配設位置を境にして分割された２つのパネルで構成されているとともに、これら２つのパネルにはパイプカバーで覆われた冷媒配管接続部を挟み込むためのＵ字溝がそれぞれ形成されており、かつ一方のパネルは着脱可能に構成され、そのＵ字溝の縁部にはカーリングが形成されており、Ｕ字溝の円弧の径は、パイプカバーの径よりも小さく設定されており、着脱可能なパネルは、パイプカバー上を軸方向にスライドさせ、さらにパイプカバーを径方向に圧縮して取り付けられており、そのカーリングが形成されたＵ字溝の円弧の外側端部の片側を本体にねじ止めされているので、バリが無く、パネルがパイプカバーの表面を滑り易くなり、パネルがパイプカバーに引っ掛かることが無く、スムーズに移動させることができ、組立作業やサービス作業時の作業性、安全性が向上し、かつ密着性が高くなる。このため、空気調和機内部で熱交換されて冷やされた冷気が、分割されたパネル間の隙間から洩れるのを防止することができ、冷気洩れによる結露を未然に防止することができる。
また、カーリングが補強リブとして働くので、剛性が高くなり、Ｕ字溝の円弧の外側端部の組付時の浮き上がりを防止することができる。さらに、取り付け時におけるねじ止め等の外力によってパネルが撓んで隙間ができてしまうことを防止できる。
【図面の簡単な説明】
【００１０】
【図１】本発明の実施形態に係る空気調和機の化粧パネルを外し下面側を上にした状態を示す斜視図である。
【図２】本発明の実施形態に係る空気調和機の要部である冷媒配管接続部付近を拡大して示す斜視図である。
【図３】本発明の実施形態に係る空気調和機の着脱可能なパネルの拡大斜視図である。
【図４】本発明の実施形態に係る空気調和機の着脱可能なパネルのカーリング部の拡大側面図である。
【発明を実施するための形態】
【００１１】
図１は本発明の実施形態に係る空気調和機の化粧パネルを外し下面側を上にした状態を示す斜視図である。本発明の実施形態に係る空気調和機は、天井埋込型の空気調和機である。この空気調和機は、図１及び図２のように本体１の外殻が、基本的に板金で構成されるドラム２と、ドラム２の冷媒配管接続部１０が貫通する開口（図示せず）を覆う板金製のパネル１１とで構成されている。パネル１１は、冷媒配管接続部１０の配設位置を境にして分割された２つのパネルすなわち上パネル３と下パネル４で構成されている。
【００１２】
図２は本発明の実施形態に係る空気調和機の要部である冷媒配管接続部付近を拡大して示す斜視図、図３は本発明の実施形態に係る空気調和機の着脱可能なパネルの拡大斜視図、図４は本発明の実施形態に係る空気調和機の着脱可能なパネルのカーリング部の拡大側面図である。冷媒配管接続部１０は、図２のように液冷媒配管５とガス冷媒配管６とで構成され、これらは本体１の前記開口の開口面の横幅方向に位置がずれ、かつ全体として外側寄りに偏位して配置されていて、配管接続作業時の作業空間を確保できるようになっている。また、液冷媒配管５とガス冷媒配管６には、断熱及び結露対策としてそれぞれの周囲に断熱性を有する弾性体で構成されたパイプカバー７，８が取り付けられている。また、上パネル３と下パネル４には、パイプカバー７，８で覆われた液冷媒配管５とガス冷媒配管６を挟み込むためのＵ字溝１２ａ，１２ｂ（図３に下パネル４側のＵ字溝のみ示す）がそれぞれ形成されている。Ｕ字溝１２ａ，１２ｂの円弧の径は、パイプカバー７，８の径よりも小さく設定されている。また、一方のパネルすなわち下パネル４（図２は倒伏状態の図であるため上側に示されている）は、着脱可能に構成されており、上パネル３（図２は倒伏状態の図であるため下側に示されている）と本体１とにねじにより止着されるようになっている。さらに、下パネル４には、外側寄りに位置するＵ字溝１２ｂの縁部にカーリング９が形成されている。
【００１３】
本発明の実施形態に係る空気調和機は、以上のように構成され、液冷媒配管５及びガス冷媒配管６が、現地にて配管を通じて室外機と接続される。着脱可能な下パネル４は、パイプカバー７，８の表面で軸方向にスライドされ、さらにパイプカバー７，８の径方向に圧縮されることで取り付けられる。その際、下パネル４には、外側寄りに位置するＵ字溝１２ｂの縁部にカーリング９が形成されているため、バリが無く、下パネル４をパイプカバー７，８の表面に引っ掛かけること無く、スムーズに移動させることができ、浮き上がりを防止することができる。また、カーリング９部がパイプカバー７，８の外周面と面接触し、密着性が高くなる。このため、上下パネル３，４間、及び上下パネル３，４とパイプカバー７，８との間に隙間が発生せず、空気調和機内部で熱交換されて冷やされた冷気の漏洩が無くなり、冷気洩れによる結露の発生を未然に防止することができるとともに、組立作業やサービス作業の際に作業者が安全に作業でき、作業性、安全性が向上する。
【００１４】
また、カーリング９が補強リブとして働くので、剛性が高くなり、下パネル４のＵ字溝１２ｂと外側辺との間の距離（幅）が、内側寄りに位置するＵ字溝１２ａと内側辺との間の距離（幅）に比べて小さくても、Ｕ字溝１２ｂの円弧の外側端部の組付時の浮き上がりを防止することができる。さらに、取り付け時におけるねじ止め等の外力によって下パネル４が撓んで隙間ができてしまうことを防止できる。
【符号の説明】
【００１５】
１  本体、２  ドラム、３  上パネル、４  下パネル（着脱可能なパネル）、５  液冷媒配管、６  ガス冷媒配管、７，８  パイプカバー、９  カーリング、１０  冷媒配管接続部、１１  パネル、１２ａ，１２ｂ  Ｕ字溝。
【図１】
0005595353.tif 000002
【図２】
0005595353.tif 000003
【図３】
0005595353.tif 000004
【図４】
0005595353.tif 000005